(57)【要約】      （修正有）【課題】マンションの集合郵便受けなどの取り出し蓋用の小型制動ヒンジであり、その蓋を所定の開閉位置で正確に停止できる小型制動ヒンジを提供する。【解決手段】制動スリーブ３の円形孔２の内周壁において浅い広幅溝を軸線方向に形成し、一方、ピボット５には広幅溝に対応する広幅凸部７を軸線方向に設けることにより、ピボットを制動スリーブ内に圧入するとピボット凸部の外周面と制動スリーブの内周面とが摩擦制動面になり、制動スリーブまたはピボットの回転により、制動スリーブの広幅溝がピボットの広幅凸部と一致すると、クリック感が生じて正確に停止する。【選択図】図１
2018025200.tif 000002
【特許請求の範囲】
【請求項１】
円形孔を有する耐磨耗性プラスチック製の制動スリーブと、該制動スリーブの円形孔内へ圧入される回転可能な金属製のピボットとを備え、該制動スリーブの円形孔の内周壁において浅い広幅溝を軸線方向に形成し、一方、ピボットには前記広幅溝に対応する広幅凸部を軸線方向に設けることにより、該ピボットを制動スリーブ内に圧入するとピボット凸部の外周面と制動スリーブの内周面とが摩擦制動面になり、制動スリーブまたはピボットの回転により、該制動スリーブの広幅溝が該ピボットの広幅凸部と一致するとクリック感が生じて停止する小型制動ヒンジ。
【請求項２】
円形孔を有する耐磨耗性プラスチック製の制動スリーブと、該制動スリーブの円形孔内へ圧入される回転可能な金属製のピボットとを備え、該ピボットの外周壁において浅い広幅溝を軸線方向に形成し、一方、制動スリーブには前記広幅溝に対応する広幅凸部を軸線方向に設けることにより、該ピボットを制動スリーブ内に圧入するとピボットの外周面と制動スリーブの広幅凸部の内周面とが摩擦制動面になり、制動スリーブまたはピボットの回転により、該ピボットの広幅溝が該制動スリーブの広幅凸部と一致するとクリック感が生じて停止する小型制動ヒンジ。
【請求項３】
スリーブ円形孔およびピボットについて、広幅溝または広幅凸部を軸心対称でそれぞれ１対設ける請求項１または２記載の小型制動ヒンジ。
【請求項４】
郵便受け箱の取り出し蓋の開閉に用いる制動ヒンジであって、該取り出し蓋に制動スリーブを固着するとともに、ピボットを箱本体の前面において係止させ、該制動スリーブの円形孔の内周壁において浅い広幅溝を軸線方向に形成し、一方、ピボットには前記広幅溝に対応する広幅凸部を軸線方向に設けることにより、制動スリーブの内周面とピボットの凸部外周面とが摩擦制動面になって取り出し蓋を任意の位置で静止でき、該取り出し蓋は、回動によって制動スリーブの広幅溝が該ピボットの広幅凸部と一致するとクリック感が生じて正確に停止する小型制動ヒンジ。
【請求項５】
取り入れ蓋は、郵便物を取り出す際には取り出し蓋とともに回動し、郵便物を収納する際には単独で回動して箱本体を開口できる請求項４記載の小型制動ヒンジ。
【発明の詳細な説明】
【技術分野】
【０００１】
本発明は、マンションの集合郵便受けなどの取り出し蓋用の小型制動ヒンジに関し、その蓋を所定の開閉位置で正確に停止できる小型制動ヒンジに関する。
【背景技術】
【０００２】
郵便受け箱は、マンションおよび個人住宅において郵便物を収納するために取り付けられ、大型マンションでは数多くの郵便受け箱をコンパクトに設置することが必要である。通常の郵便受け箱では、郵便物を投入する開口部を開閉する取り入れ蓋と、該郵便物を引き出す開口部を開閉する取り出し蓋を別個に有する。既存の郵便受け装置として、特開２００６−２８８４７０号、特開２００７−６１３号、特開２０１３−２１２１９４号などが例示され、取り出し蓋は支軸によって回動自在になっている。
【０００３】
郵便受け箱の取り出し蓋を支軸だけで回転自在に支承すると、その蓋を開く際に急激な回動による衝撃または上方へ開いた上下蓋の突然の閉鎖で手や郵便物を傷付けたり、中の郵便物を下に落とすおそれがある。特開２００７−６１３号では、空圧バンパーであるシリンダーを取り出し開口部の側部に取り付け、取り出し蓋を開いた際にその一部が回動終了時にシリンダーロッドと当接することで回動時の衝撃を緩和しているが、コンパクトな郵便受け箱において空圧バンパーの設置場所を確保することが困難であり、空圧バンパーの設置によって郵便受け箱が高価になってしまうので実用的ではない。
【０００４】
一方、本出願人は、制動回動の金属ヒンジについて既に数多く提案しており、本発明者らが出願した特開２００４−１６９８７０号、特開２００５−９５４７号、特開２００７−１３９０１２号などが存在する。特に、特開２００４−１６９８７０号では、その一部を郵便箱の取り出し蓋に適用することも可能である。例えば、特開２００４−１６９８７０号に開示の可動体、制動部材およびワッシャを小型化して利用することにより、可動体つまり取り出し蓋を制動回転させることが可能になる。この結果、取り出し蓋を任意の開口位置で静止でき、該取り出し蓋の急激な回動を緩和して、該取り出し蓋を開く際の急激な回動による衝撃および上方へ開いた上下蓋の突然の閉鎖を防止できる。
【先行技術文献】
【特許文献】
【０００５】
【特許文献１】特開２００６−２８８４７０号公報
【特許文献２】特開２００７−６１３号公報
【特許文献３】特開２０１３−２１２１９４号公報
【特許文献４】特開２００４−１６９８７０号公報
【特許文献５】特開２００５−９５４７号公報
【特許文献６】特開２００７−１３９０１２号公報
【発明の概要】
【発明が解決しようとする課題】
【０００６】
マンションの郵便受け箱の取り出し蓋に関して、特開２００４−１６９８７０号に開示の制動機構を利用すると、取り出し蓋の制動回転が可能になる反面、該取り出し蓋を回動させて完全に垂直方向に閉鎖しても、制動部材の内部応力によって取り出し蓋は最終的に少し開いた状態で静止しやすい。取り出し蓋が閉鎖時に少し開いていると、郵便受け箱の美観上で好ましくないうえに、該郵便受け箱に収納された郵便物が外に出てしまう恐れが生じる。このため、従来の郵便受け箱では、取り出し蓋が完全閉鎖するための係止フックを設置し、取り出し蓋の完全閉鎖時に係止フックが掛かってその位置で停止させ、該取り出し蓋を開くために上方へ引っ張ると、係止フックが外れて回動が可能になる。
【０００７】
取り出し蓋用の係止フックは、比較的安価である郵便受け箱においてコストアップの一つの要因になる。また、取り出し蓋の開閉を重ねると係止フックの故障が発生しやすくなり、該係止フックが折れたりすると修理費用が掛かり、故障のままで放置すると取り出し蓋が閉鎖時に少し開いてしまい、郵便受け箱の美観が悪くなってしまう。
【０００８】
本発明は、従来の郵便受け箱の取り出し蓋に関する前記の問題点を改善するとともに、小型制動ヒンジをさらに改良するために提案されたものであり、取り出し蓋のような可動体が所定の開閉角度に達すると、クリック感が生じて確実に停止できる小型制動ヒンジを提供するものである。本発明の他の目的は、蓋、棚または窓のような可動体を備える郵便受け箱、家具や建具などに組み込むと、係止フックが必要なくなるのでヒンジ全体が比較的安価になり、構造の単純化によって一層の小型化が可能になる小型制動ヒンジを提供することである。
【課題を解決するための手段】
【０００９】
本発明に係る小型制動ヒンジは、円形孔を有する耐磨耗性プラスチック製の制動スリーブと、該制動スリーブの円形孔内へ圧入される回転可能な金属製のピボットとを備える。本発明の小型制動ヒンジにおいて、制動スリーブの円形孔の内周壁において浅い広幅溝を軸線方向に形成し、一方、ピボットには前記広幅溝に対応する広幅凸部を軸線方向に設けることにより、該ピボットを制動スリーブ内に圧入するとピボット凸部の外周面と制動スリーブの内周面とが摩擦制動面になり、制動スリーブまたはピボットの回転により、該制動スリーブの広幅溝が該ピボットの広幅凸部と一致するとクリック感が生じて停止する。
【００１０】
本発明に係る別の小型制動ヒンジには、ピボットの外周壁において浅い広幅溝を軸線方向に形成し、一方、制動スリーブには前記広幅溝に対応する広幅凸部を軸線方向に設けることにより、該ピボットを制動スリーブ内に圧入するとピボットの外周面と制動スリーブの広幅凸部の内周面とが摩擦制動面になり、制動スリーブまたはピボットの回転により、該ピボットの広幅溝が該制動スリーブの広幅凸部と一致するとクリック感が生じて停止する。
【００１１】
本発明に係るヒンジにおいては、制動スリーブおよびピボットについて、広幅溝または広幅凸部を軸心対称でそれぞれ１対設けると好ましい。
【００１２】
本発明に係る別の小型制動ヒンジは、郵便受け箱の取り出し蓋の開閉に用いる。本発明の小型制動ヒンジは、取り出し蓋に制動スリーブを固着するとともに、ピボットを箱本体の前面において係止させ、該制動スリーブの円形孔の内周壁において浅い広幅溝を軸線方向に形成し、一方、ピボットには前記広幅溝に対応する広幅凸部を軸線方向に設けることにより、制動スリーブの内周面とピボットの凸部外周面とが摩擦制動面になって取り出し蓋を任意の位置で静止でき、該取り出し蓋は、回動によって制動スリーブの広幅溝が該ピボットの広幅凸部と一致するとクリック感が生じて正確に停止する。
【００１３】
郵便受け箱の取り出し蓋の開閉に用いる小型制動ヒンジにおいて、該取り入れ蓋は、郵便物を取り出す際には取り出し蓋とともに回動し、郵便物を収納する際には単独で回動して箱本体を開口できると好ましい。
【発明の効果】
【００１４】
本発明に係る小型制動ヒンジは、通常、耐磨耗性プラスチック製の制動スリーブと、金属製のピボットとだけからなり、構造が単純であるので比較的安価である。本発明の小型制動ヒンジは、取り出し蓋などの可動体が任意の開閉角度に達すると、クリック感が生じて正確に停止できるので、該可動体が完全閉鎖時に応力によって多少開口するような事態が生じず、確実な停止のために取り付ける係止フックのような部材が不要になる。
【００１５】
本発明に係る小型制動ヒンジでは、制動スリーブおよびピボットにおいて、広幅溝および広幅凸部を軸心対称でそれぞれ１対設けると、クリック感がより明確になって蓋体や開閉扉のような可動体を確実に停止できる。本発明の小型制動ヒンジにおいて、広幅溝および広幅凸部の幅長さを減らして数を増やすと、クリック感を１８０度回動だけでなく、９０度または４５度ごとに生じさせることも可能である。
【００１６】
本発明に係る小型制動ヒンジは、取り出し蓋のような可動体を所定の回動位置で停止でき、しかも従来の小型支軸ピンとほぼ同様の大きさにすぎない。このため、本発明の小型制動ヒンジは、従来の小型支軸ピンが取り付けられていた場所にそのまま代替え使用すると、所定の開閉角度においてクリック感を与えて確実に停止できるので、可動体を直角や４５度の開口角度で確実に静止でき、用途的には従来の金属ヒンジとほぼ同一である。各種の可動体を有する郵便受け箱、家具、建具、容器や鍵盤楽器などについて、該可動体と基材との接続個所に制動スリーブを木ネジや釘で取り付ければよい。
【図面の簡単な説明】
【００１７】
【図１】本発明に係る小型制動ヒンジを拡大して示す斜視図である。
【図２】図１の小型制動ヒンジを分解して示す拡大斜視図である。
【図３】図１の小型制動ヒンジを示す拡大側面図である。
【図４】図１の小型制動ヒンジについて制動スリーブの回動位置に関する制動状況を示す拡大端面図である。
【図５】図１の小型制動ヒンジの他の使用例を示す拡大断面図である。
【図６】小型制動ヒンジの変形例を示す拡大断面図である。
【図７】図５に示す小型制動ヒンジを取り付けた取り出し蓋を個々に備える集合郵便受けを例示する正面図である。
【図８】図７の郵便受け箱における取り出し蓋を示す概略縦断面図である。
【図９】小型制動ヒンジの取り付け個所を拡大して示す概略水平断面図である。
【発明を実施するための形態】
【００１８】
本発明を図面によって説明すると、本発明に係る小型制動ヒンジ１は、図１から図３に示すように、円形孔２を有する制動スリーブ３と、円形孔２内へ圧入されて該円形孔内で制動回動可能なピボット５を備える。小型制動ヒンジ１では、図８のように制動スリーブ３が回動する場合と、該制動スリーブを静止部材に取り付けてピボット５が制動回動する場合と、制動スリーブ３およびピボット５が相互に制動回動する場合とがある。
【００１９】
小型制動ヒンジ１では、制動スリーブ３の円形孔２の内周壁において浅い広幅溝６，６を形成する軸線方向の位置が定まっていても、広幅凸部７，７を軸線方向に設けたピボット５または制動スリーブ３の取付角度を変えることにより、任意の開口角度で蓋体（図示しない）にクリック感が生じさせて該蓋体を停止できる。例えば、図１から図３に示すように、ピボット５の広幅凸部７，７を垂直方向に配列すると、制動スリーブ３が図１の位置から上下方向へ９０度回動した際にクリック感が生じる。また、図５のようにピボット５の広幅凸部７，７を水平方向に配列すると、制動スリーブ３が回動して図１の位置へ戻った際にクリック感が生じる。
【００２０】
小型制動ヒンジ１は、蓋体、棚板、回転窓などの可動体を有する郵便受け箱、家具、建具、容器や鍵盤楽器などに取り付けることができる。例えば、図７に示すように、小型制動ヒンジ１をマンションの集合郵便受け８の個別受け箱１０の蓋体支軸部に設置する。この場合には、図８に示すように、取り出し蓋１２のような可動体に制動スリーブ３を取り付け、箱本体１４の支持アーム１６にピボット５を係止すればよい。
【００２１】
制動スリーブ３は、耐磨耗性プラスチック製であり、例えば、炭素含有のＰＯＭ（ポリアセタール）樹脂からなり、用途に応じて適宜の色に着色できる。制動スリーブ３は、ある程度のトルクが発生するように図１に示すように細長くて軸線方向に円形孔２を有し、たとえば、全長３０ｍｍ、円形孔２の内径は約３ｍｍである。円形孔２は、広幅溝６，６を除く周面の内径がピボット５の外径よりもわずかに小さく、ピボット５の圧入後に該ピボットを回すと、ピボット５の外周面が、広幅溝６，６を除くスリーブ円形孔２の内周面と接触して制動回転が可能である。
【００２２】
制動スリーブ３において、図２および図４に示すように、円形孔２の内周壁１８において浅い広幅溝６，６を軸線方向に軸心対称に形成すればよい。広幅溝６，６の深さは、使用樹脂の物性、所望のトルクおよびヒンジ寸法などによって異なるけれども、一般に内径３ｍｍの円形孔２で０.０７〜０.１５ｍｍ程度である。また、広幅溝６，６の幅は、一般に内径３ｍｍの円形孔２において１〜２ｍｍ程度であればよい。広幅溝６，６において、その横幅はピボット５の広幅凸部７，７の幅よりも小さいかまたは同程度であり、該広幅溝の底壁は内周壁１８（図４）と同中心で該内周壁よりも大きい曲率半径である。広幅溝６，６の底壁は、ピボット５の広幅凸部７，７と同中心で広幅凸部７とほぼ同じ曲率半径であればよい。
【００２３】
一方、ピボット５は、ステンレス鋼のような金属製であり、図２に示すような細長い円柱形である。ピボット５は、制動スリーブ３中に圧入される後方部２０と、該制動スリーブから突出して固定部材または可動部材に係止される前方部２２とを有する。たとえば、ピボット後方部２０は、両側面を平行に切削して平坦面２４，２４（図４）を形成した部分円柱体であり、ピボット前方部２２は、箱本体１４の支持アーム１６（図８）の異形孔（図示しない）で密に係止可能な異形断面を有する。ピボット後方部２０は、図示のような部分円柱体のほかに、軸線方向に突出させた浅い広幅凸部を設けた円柱体であってもまたは楕円柱体などでもよい。
【００２４】
小型制動ヒンジ１は、１８０度回動ごとにクリック感が生じ、広幅溝６と広幅凸部７の幅長さに応じて、実際には図４に示すようなトルク有効範囲とトルクレス範囲とに分離されるので、トルクレス範囲をより小さくするには広幅溝６と広幅凸部７の幅をより小さくすることを要する。制動スリーブ３において、１対の広幅溝６，６を円形孔２内で軸心対称に形成するけれども、図４に示す広幅溝は１個だけでもよく、これに応じてピボット５の広幅凸部も１個にすることが可能である。また、小型制動ヒンジ１は、図４のように１８０度回動ごとにクリック感を生じさせても、広幅溝６と広幅凸部７の幅長さを減らして数を増やし、９０度または４５度回動するごとにクリック感が生じるように構成してもよい。
【００２５】
図６には本発明の変形例を示し、小型制動ヒンジ２８では、ピボット３０に１対の広幅溝３２，３２を形成し、一方、制動スリーブ３４に１対の広幅凸部３６，３６を設ける。ピボット３０の広幅溝３２，３２において、その横幅は制動スリーブ３４の広幅凸部３６，３６の幅よりも小さいかまたは同程度であり、該広幅溝の底壁はピボット外周壁と同中心で該外周壁より小さい曲率半径である。広幅凸部３６，３６の周壁は、制動スリーブ３４の円形孔と同中心で該円形孔よりも小さい曲率半径である。小型制動ヒンジ２８は、１８０度回動ごとにクリック感を生じるけれども、広幅溝３２と広幅凸部３６の幅長さを減らして数を増やし、９０度または４５度回動するごとにクリック感が生じるように構成してもよい。
【実施例１】
【００２６】
次に、本発明を実施例に基づいて説明するが、本発明は実施例に限定されるものではない。この実施例で用いる小型制動ヒンジ１は、図７に示すようなマンションの集合郵便受け８の個別受け箱１０の蓋体支軸部にそれぞれ設置する。小型制動ヒンジ１では、図５のようにピボット５の広幅凸部７，７を水平方向に配列して固定し、制動スリーブ３が図５の位置から回動して図１の位置へ戻った際にクリック感が生じて正確に停止する。
【００２７】
集合郵便受け８の各個別受け箱１０では、図８に示すように、直方体形の箱本体１４の横断面とほぼ同じ平面形状の郵便物の取り出し蓋１２を箱本体１４の前面に上下方向に回動自在に取り付ける。矩形平面の取り出し蓋１２は、ある程度の横幅を持つ両側板部３８と該側板部と直交する前板部４０とで構成するプラスチックの中空品である。取り出し蓋１２の前板部４０には、その上方に矩形状の開口部４２を形成し、該開口部を開閉する郵便物の取り入れ蓋４４を回動自在に支承する。また、図７において、個々の取り出し蓋１２は、前板部４０の右側下方に鍵番号を入力したダイヤル４６と、前板部４０の左側下方で開口部４２の直下に横凹み４８とを備え、ダイヤル４６を掴んで取り出し蓋１２を開閉でき、横凹み４８に手を入れて取り入れ蓋４４だけを開閉できる。
【００２８】
小型制動ヒンジ１は、図１から図３に示すように、円形孔２を有する横長の制動スリーブ３と、円形孔２内へ圧入されて該円形孔内で回動可能なピボット５を備える。制動スリーブ３は、その外周の横断面がほぼＤ字形であり、外周平坦面５０において３個の円形突起５２を設けている。また、制動スリーブ３の後方には矩形孔５３を設け、該矩形孔は制動スリーブ３の位置決めまたはピボット５を引き抜く際に利用する。制動スリーブ３は、その横平坦面５０を前板部４０の上部内側面と接触させると、図８と図９に示すように、その上部内側面に形成した３個の貫通孔５４内へ各円形突起部５２を嵌入でき、その後にタッピンネジ５６を貫通孔５４にそれぞれねじ込み、制動スリーブ３を前板部４０の上部内側面に固着する。
【００２９】
一方、箱本体１４の前面上方の右側部には、異形孔（図示しない）を形成した平板状の支持アーム１６（図９）を本体前面から突出するように取り付け、該支持アームの異形孔は、ピボット前方部２２が図４に示す状態で静止できる横長の対応形状を有する。ピボット前方部２２は、箱本体１４の支持アーム１６の異形孔に密に挿入可能な異形断面を有し、該支持アームの異形孔内に挿入して係止させる。また、箱本体１４の前面上方の反対側部には、円形孔を形成した支持アーム（図示しない）を支持アーム１６と対称に取り付け、該支持アームの円形形孔に取り出し蓋１２の左側板部に固着したピンを回動自在に挿入することにより、取り出し蓋１２を回動自在に支承する。
【００３０】
郵便物の取り入れ蓋４４は、その水平部５８がさらに下方へ屈曲し、その屈曲部において図９に示す制動ヒンジ１のピボット５と同軸状に、取り出し蓋１２の前板部４０にピン（図示しない）で回動自在に支承される。取り入れ蓋４４は、単独でＡ方向に開いた際に、その水平部５８がＤ字形断面の制動スリーブ３と接触することはない。取り入れ蓋４４の内側には、密に横並びした多数枚の縦長の矩形板６０を吊り下げ、各矩形板は下方が後方へのみ旋回可能であるので、郵便物を入れる際には各矩形板６０を押して箱本体１４内へ収納できるけれども、取り入れ蓋４４から郵便物を直接取り出すことは各矩形板６０で遮蔽されて困難になる。
【００３１】
各個別受け箱１０内に収納した郵便物を取り出す際には、手でダイヤル４６を掴んで取り出し蓋１２上方へ旋回して、該取り出し蓋を図８の矢印Ｂ方向へ開くと、取り入れ蓋４４は取り出し蓋１２とともに回動する。この際に、取り出し蓋１２に固着した制動スリーブ３がピボット５の回りを制動回動することにより、取り出し蓋１２を任意の開口角度で静止でき，収納した郵便物を容易に取り出すことができる。取り出し蓋を９０度開くと、制動スリーブ３は図５に示す位置に達する。
【００３２】
郵便物を各個別受け箱１０内へ収納する際には、取り入れ蓋４４を上方へ旋回するために、横凹み４８に手を入れて取り入れ蓋４４だけを矢印Ａ方向へ回動させる。郵便物を開口部４２内へ押し込むと、その郵便物は、蓋内側において吊り下げた多数枚の矩形板６０を後方へ旋回させながら通過し、その郵便物を箱本体１４内へ収納できる。収納された郵便物は、箱本体１４内において下方に積み重ねられるため、上方位置の取り入れ蓋４４を開いても取り出しにくく、さらに各矩形板６０によって遮蔽されるので、取り出し蓋１２を閉じておくと勝手な取り出しは困難である。
【００３３】
取り出し蓋１２は、郵便物を取り出した後に図８の実線で示す位置まで閉鎖すると、制動スリーブ３は図５の位置からピボット５の回りを反時計方向９０度回動する。この回動により、制動スリーブ３の円形孔２の広幅溝６，６がピボット５の広幅凸部７，７と嵌合し、取り出し蓋１２にクリック感が生じるとともに、その垂直位置で正確に停止する。この結果、取り出し蓋１２は、係止フックを取り付けていなくても、常に完全閉鎖されて閉鎖時に少し開くことがなく、集合郵便受け８の美観についても好ましい。
【符号の説明】
【００３４】
１    小型制動ヒンジ
２    円形孔
３    制動スリーブ
５    ピボット
６，６    広幅溝
７，７    広幅凸部
８    集合郵便受け
１２    取り出し蓋
１６    支持アーム
【図１】
2018025200.tif 000003
【図２】
2018025200.tif 000004
【図３】
2018025200.tif 000005
【図４】
2018025200.tif 000006
【図５】
2018025200.tif 000007
【図６】
2018025200.tif 000008
【図７】
2018025200.tif 000009
【図８】
2018025200.tif 000010
【図９】
2018025200.tif 000011